(57)【特許請求の範囲】
【請求項１】
移動範囲が左右非対称に配置された、又は、移動方向が異なる複数の指針と、所定のトリガで前記指針を零点から目標点まで移動させ、その後零点まで移動させるスイープ動作を行うスイープ動作手段と、を備えたコンビネーションメータにおいて、
前記複数の指針毎に前記スイープ動作を行わせるか否かの設定操作が行われる第１操作手段をさらに備え、
前記スイープ動作手段が、前記複数の指針のうち前記第１操作手段によりスイープ動作を行わせると設定された指針のみに前記スイープ動作を行い、前記第１操作手段によりスイープ動作を行わせないと設定された指針については前記スイープ動作を行わずに停止させたままにする
ことを特徴とするコンビネーションメータ。
【請求項２】
前記スイープ動作中の前記指針の照明パターンが複数種類記憶された記憶手段と、
前記スイープ動作中の前記指針の照明パターンを前記記憶手段に記憶された複数の照明パターンのうちの１つに設定する操作が行われる第２操作手段と、を備え、
前記スイープ動作手段が、前記スイープ動作を行わせると設定された指針について前記第２操作手段により設定された照明パターンで照明し、前記スイープ動作を行わせないと設定された指針について照明を消灯させる
ことを特徴とする請求項１に記載のコンビネーションメータ。
【請求項３】
前記記憶手段には、前記スイープ動作中に前記指針を常時点灯するパターンと、前記スイープ動作中に前記指針を間欠点灯するパターンと、を含む複数の照明パターンが記憶されている
ことを特徴とする請求項２に記載のコンビネーションメータ。
【請求項４】
前記スイープ動作中の前記指針の回転速度の設定操作が行われる第３操作手段を備え、
前記スイープ動作手段が、前記間欠点灯する照明パターンに設定されているとき、前記指針の回転速度に関わらず同じ位置で前記指針の照明がオンオフするように、設定された前記指針の回転速度に応じて間欠点灯のオンオフタイミングを調整する
ことを特徴とする請求項３に記載のコンビネーションメータ。
【請求項５】
前記スイープ動作中の前記指針の回転速度及び前記目標点の少なくとも１つの設定操作が行われる第３操作手段を備え、
前記スイープ動作手段が、前記第３操作手段による設定操作に応じて前記指針を回転させる
ことを特徴とする請求項１〜３何れか１項に記載のコンビネーションメータ。
【請求項６】
前記スイープ動作を行わないように設定された指針について前記所定のトリガから指針が計測値を示すまでの起動待ち時間及び前記所定のトリガから前記指針が照明されるまでの点灯開始時間の少なくとも一方の設定操作が行われる第４操作手段と、
前記スイープ動作手段が、前記第４操作手段の設定操作に応じて前記指針の照明、回転を制御する
ことを特徴とする請求項１〜５何れか１項に記載のコンビネーションメータ。
【発明の詳細な説明】
【技術分野】
【０００１】
本発明は、コンビネーションメータに係り、特に、移動範囲が左右非対称に配置された、又は、移動方向が異なる複数の指針と、所定のトリガで指針を零点から目標点まで移動させ、その後零点まで移動させるスイープ動作を行うスイープ動作手段と、を備えたコンビネーションメータに関するものである。
【背景技術】
【０００２】
近年、車両のイグニッションオンやドアロック解除などをトリガにして、指針がスイープ動作を行う複数の指針を備えたコンビネーションメータが普及している（特許文献１〜４）。スイープ動作において、指針は、図６に示すように、零点Ｐ0から矢印Ｘ方向に回転して最大点Ｐmax（目標点）まで移動し、その後矢印Ｙ方向に反転して零点Ｐ0に戻る。
【０００３】
従来より、上述したコンビネーションメータ１においては、全ての指針２２をスイープさせていた。このようなコンビネーションメータ１においては、図６に示すように指針２２の移動範囲が左右対称であり、かつ、指針２２の移動方向が同じであれば全ての指針２２が同じ速度、同じ動きとなるため、見た目が良い印象を与えるが、図７に示すように指針２２の移動範囲が左右非対称であったり、指針２２の移動方向が異なっていると、ドライバーが違和感を感じる、という問題がある。
【０００４】
そこで、複数の指針２２間でスイープ動作の開始と終了とを合わせることで、見た目を揃えることも考えられるが、やはり指針２２の移動範囲が左右対称でなかったり、移動方向が異なると違和感を感じてしまう。
【先行技術文献】
【特許文献】
【０００５】
【特許文献１】特許４１７５８６１号公報
【特許文献２】特開２００４−１７７１４５号公報
【特許文献３】特許３２８４８３８号公報
【特許文献４】特開２００７−３１６２９１号公報
【発明の概要】
【発明が解決しようとする課題】
【０００６】
そこで、本発明は、複数の指針の移動範囲が左右非対称であったり、指針の移動範囲が左右対称であってもその移動方向が異なっていたとしても、そのバリエーション応じて個別にスイープ動作の設定を可能とすることにより、ドライバーに与える違和感を低減し、かつ、斬新な演出ができるコンビネーションメータを提供することを課題とする。
【課題を解決するための手段】
【０００７】
上述した課題を解決するための請求項１記載の発明は、移動範囲が左右非対称に配置された、又は、移動方向が異なる複数の指針と、所定のトリガで前記指針を零点から目標点まで移動させ、その後零点まで移動させるスイープ動作を行うスイープ動作手段と、を備えたコンビネーションメータにおいて、前記複数の指針毎に前記スイープ動作を行わせるか否かの設定操作が行われる第１操作手段をさらに備え、前記スイープ動作手段が、前記複数の指針のうち前記第１操作手段によりスイープ動作を行わせると設定された指針のみに前記スイープ動作を行い、前記第１操作手段によりスイープ動作を行わせないと設定された指針については前記スイープ動作を行わずに停止させたままにすることを特徴とするコンビネーションメータに存する。
【０００８】
請求項２記載の発明は、前記スイープ動作中の前記指針の照明パターンが複数種類記憶された記憶手段と、前記スイープ動作中の前記指針の照明パターンを前記記憶手段に記憶された複数の照明パターンのうちの１つに設定する操作が行われる第２操作手段と、を備え、前記スイープ動作手段が、前記スイープ動作を行わせると設定された指針について前記第２操作手段により設定された照明パターンで照明し、前記スイープ動作を行わせないと設定された指針について照明を消灯させることを特徴とする請求項１に記載のコンビネーションメータに存する。
【０００９】
請求項３記載の発明は、前記記憶手段には、前記スイープ動作中に前記指針を常時点灯するパターンと、前記スイープ動作中に前記指針を間欠点灯するパターンと、を含む複数の照明パターンが記憶されていることを特徴とする請求項２に記載のコンビネーションメータに存する。
【００１０】
請求項４記載の発明は、前記スイープ動作中の前記指針の回転速度の設定操作が行われる第３操作手段を備え、前記スイープ動作手段が、前記間欠点灯する照明パターンに設定されているとき、前記指針の回転速度に関わらず同じ位置で前記指針の照明がオンオフするように、設定された前記指針の回転速度に応じて間欠点灯のオンオフタイミングを調整することを特徴とする請求項３に記載のコンビネーションメータに存する。
【００１１】
請求項５記載の発明は、前記スイープ動作中の前記指針の回転速度及び前記目標点の少なくとも１つの設定操作が行われる第３操作手段を備え、前記スイープ動作手段が、前記第３操作手段による設定操作に応じて前記指針を回転させることを特徴とする請求項１〜３何れか１項に記載のコンビネーションメータに存する。
【００１２】
請求項６記載の発明は、前記スイープ動作を行わないように設定された指針について前記所定のトリガから指針が計測値を示すまでの起動待ち時間及び前記所定のトリガから前記指針が照明されるまでの点灯開始時間の少なくとも一方の設定操作が行われる第４操作手段と、前記スイープ動作手段が、前記第４操作手段の設定操作に応じて前記指針の照明、回転を制御することを特徴とする請求項１〜５何れか１項に記載のコンビネーションメータに存する。
【発明の効果】
【００１３】
以上説明したように請求項１記載の発明によれば、スイープ動作手段が、複数の指針のうち第１操作手段によりスイープ動作を行わせると設定された指針のみにスイープ動作を行い、第１操作手段によりスイープ動作を行わせないと設定された指針についてはスイープ動作を行わずに停止させたままにする。従って、複数の指針の移動範囲が左右非対称であったり、複数の指針の移動範囲が左右対称であってもその移動方向が異なっていたとしても、例えば複数の指針の１つだけスイープ動作させるなど、そのバリエーションに応じて個別にスイープ動作を行うか行わないか設定できるので、ドライバーに与える違和感を低減し、かつ、斬新な演出ができる。
【００１４】
請求項２記載の発明によれば、スイープ動作手段が、スイープ動作を行わせると設定された指針について第２操作手段により設定された照明パターンで指針を照明し、スイープ動作を行わせないと設定された指針について照明を消灯させるので、複数の照明パターンの中から好みのものを設定できる。
【００１５】
請求項３記載の発明によれば、記憶手段には、スイープ動作中に指針を常時点灯するパターンと、スイープ動作中に指針を間欠点灯するパターンと、を含む複数の照明パターンが記憶されているので、間欠点灯するパターンを選択すると指針照明の残像を残すような斬新な演出が得られる。
【００１６】
請求項４記載の発明によれば、指針の回転速度に関わらず同じ位置で指針の照明がオンオフするので、回転速度を第２操作手段の操作により設定できるようにしても、照明パターンの演出効果が変わることがない。
【００１７】
請求項５記載の発明によれば、スイープ動作における回転速度、目標点を設定できるので、スイープ動作演出のバリエーションを増やすことができる。
【００１８】
請求項６記載の発明によれば、起動待ち時間及び点灯開始時間を設定できるので、スイープ動作演出のバリエーションを増やすことができる。
【図面の簡単な説明】
【００１９】
【図１】本発明のコンビネーションメータの正面図である。
【図２】図１に示すコンビネーションメータの電気構成を示すブロック図である。
【図３】図２に示すステッピングモータの部分分解斜視図である。
【図４】（ａ）〜（ｇ）はイグニッションスイッチ、照明パターンＡ〜Ｄ、指針２の位置、文字板照明のタイムチャートである。
【図５】図２に示すマイコンの処理手順を示すフローチャートである。
【図６】従来のコンビネーションメータにおける指針の動きを説明するための図である。
【図７】従来のコンビネーションメータにおける指針の動きを説明するための図である。
【発明を実施するための形態】
【００２０】
以下、本発明の一実施の形態を図面に基づいて説明する。図１は、本発明のコンビネーションメータの正面図である。図２は、図１に示すコンビネーションメータの電気構成を示すブロック図である。図３は、図２に示すステッピングモータの部分分解斜視図である。
【００２１】
上記コンビネーションメータ１は、図１に示す複数の指針計器２と、図２に示すこれら指針計器２の動作を制御するマイクロコンピュータ（以下マイコンと略記）３と、各種データを格納する不揮発性のメモリであるＥＥＰＲＯＭ４と、を備えている。
【００２２】
上記複数の指針計器２は各々、図１などに示すように、計測値を示す目盛りが設けられた文字板２１と、これら文字板２１上に設けられた指針２２と、これら指針２２を駆動するステッピングモータ２３（図２、図３参照）と、を備えている。上記複数の指針２２は、その移動範囲がコンビネーションメータ１の左右方向の中心線Ｌ１に対して左右非対称になるように設けられている。
【００２３】
これら複数の指針２２の少なくとも一つと、その一つを除いた残りと、は零点Ｐ0からの回転方向（＝移動方向）が異なる。即ち、図１において、右側指針計器２の２つの指針２２のうち下側は零点Ｐ0から反時計回りに回転するが、中央指針計器２の指針２２と、左側指針計器２の指針２２と、右側指針計器２の２つの指針２２のうち上側と、は零点Ｐ0から時計回りに回転する。
【００２４】
上記ステッピングモータ２３は各々、図２に示すように、Ａ相、Ｂ相励磁コイル２３ａ、２３ｂと、これらＡ相、Ｂ相励磁コイル２３ａ、２３ｂの励磁状態の変化に追従して回転するマグネットロータ２３ｃと、マグネットロータ２３ｃの駆動力を指針２２に伝えるギア２３ｄ〜２３ｆ（ギア２３ｅ、２３ｆについては図３参照）と、これらを収容するケース２３ｇ（図３参照）と、を備えている。
【００２５】
図２に示すように、Ａ相、Ｂ相励磁コイル２３ａ、２３ｂは、軸方向が９０度で交差するようにケース２３ｇ内に収容されている。マグネットロータ２３ｃは、円盤状に設けられ、その外周に沿ってＮ極Ｓ極が交互に２極づつ着磁されている。ギア２３ｄは、マグネットロータ２３ｃの回転軸に固定されている。
【００２６】
ギア２３ｅは、図３に示すように、指針２２の回転軸に固定されている。ギア２３ｆは、マグネットロータ２３ｃに固定されたギア２３ｄと、図３に示すように、指針２２に固定されたギア２３ｅと、の双方に噛み合うように設けられている。これにより、マグネットロータ２３ｃが回転するとギア２３ｄ〜２３ｆを介して指針２２も回転する。
【００２７】
また、上記ステッピングモータ２３は、図３に示すように、マグネットロータ２３ｃの回転に連動する被駆動部材としての片２３ｈと、片２３ｈと当接してステッピングモータ２３の回転を機械的に停止させるストッパ２３ｉと、を有している。片２３ｈは、上述したギア２３ｅに固定された円盤部２３ｊに突設されている。ストッパ２３ｉは、ケース２３ｇに突設されている。上述した片２３ｈとストッパ２３ｉとが当接したときに指針２２が文字板２１に設けた目盛り上の零点Ｐ0（図１参照）を指示するように、指針２２がステッピングモータ２３の回転軸に打ち込まれている。
【００２８】
上記マイコン３は、図２に示すように、電源ＩＣ５からの電源供給を受けて動作する。電源ＩＣ５は、車載バッテリＢからマイコン３に対する供給電圧を生成する。また、上記マイコン３には、イグニッションスイッチＩＧがインタフェース（Ｉ／Ｆ）６を介して接続されている。また、上記マイコン３には、スイープ動作の各種設定操作が行われる設定器７が着脱可能に接続される。さらに、マイコン３には、表示器８が接続されている。
【００２９】
上記マイコン３は、駆動回路３１として機能し、ステッピングモータ２３のＡ相励磁コイル２３ａ、Ｂ相励磁コイル２３ｂに対して駆動電圧を出力している。なお、本実施形態では、マイコン３を駆動回路３１として機能させていたが、マイコン３とは別に駆動回路を設けても良い。また、上記マイコン３は、文字板２１や指針２２を照明する図示しない光源に接続され、これら光源のオンオフを制御する。
【００３０】
次に、上述した構成のコンビネーションメータ１の動作について説明する。まず、スイープ動作設定モードについて説明する。例えばディーラーが設定器７をコンビネーションメータ１のマイコン３に接続して、設定器７の操作によりマイコン３をスイープ動作設定モードにする。マイコン３は、スイープ動作設定モードに移行すると例えば表示器８に「スイープ動作を行いますか？」などと表示させる。この表示に応じて設定器７を使ってスイープ動作を行わない旨を入力すると、マイコン３は、指針２２のスイープ動作フラグＦ１をオフに設定する。
【００３１】
これに対して、設定器７を使ってスイープ動作を行う旨を入力すると、マイコン３は、スイープ動作フラグＦ１をオンにして、次に、例えば表示器８に「個別設定を行いますか？」などと表示させる。この表示に応じて設定器７を使って個別設定を行わない旨を入力すると、マイコン３は個別設定フラグＦ２をオフにする。
【００３２】
これに対して、設定器７を使って個別設定を行う旨を入力すると、マイコン３は、表示器８に「どの指針２２をスイープ動作しますか？」などと表示させる。この表示に応じて設定器７を使ってスイープ動作させたい指針２２の選択操作を行うと、マイコン３は、選択された指針２２のスイープ動作を行うように設定し、選択されなかった指針２２のスイープ動作を行わないように設定する。
【００３３】
次に、マイコン３は、「スイープ動作中における指針２２の照明パターン、回転速度、回転角度の何れかを設定しますか？」などと表示させる。この表示に応じて設定器７を使って照明パターンの設定が選択されると、マイコン３は、表示器８に図４（ｂ）〜（ｅ）に示すような照明パターンＡ〜Ｄを表示する。図４（ｂ）に示す照明パターンＡは、スイープ動作中に指針２２を常時点灯するパターンであり、図４（ｃ）〜図４（ｅ）に示す照明パターンＢ〜Ｄは、スイープ動作中に指針２２を間欠点灯するパターンであり複数種類ある。これら照明パターンＡ〜Ｄは、予め記憶手段としてのＥＥＰＲＯＭ４内に記憶されている。
【００３４】
設定器７を用いて４つの照明パターンＡ〜Ｄのうちの１つに設定する操作を行うと、マイコン３は、スイープ動作を行うように設定された指針２２（以下対象指針２２と略記する）の照明パターンを設定操作されたものにする。また、設定器７を用いて回転速度の設定を選択すると、マイコン３は、表示器８に回転速度設定画面を表示する。この表示に応じて設定器７を用いて回転速度の設定操作を行うと、対象指針２２の回転速度を設定操作された値にする。
【００３５】
さらに、設定器７を用いて回転角度の設定を選択すると、マイコン３は、表示器８に回転角度設定画面を表示する。この表示に応じて設定器７を用いて回転角度の設定操作を行うと、対象指針２２の回転角度を設定操作された値にする。この回転角度の設定が請求項中の目標点の設定に相当する。なお、上記設定器７により照明パターン、回転速度、回転角度の設定操作が行われなかった場合は、予め定めた基準のものに設定される。以上のことから明らかなように、設定器７が請求項中の第１〜第３操作手段に相当する。
【００３６】
次に、通常時におけるコンビネーションメータ１の動作について図５を参照して説明する。イグニッションオンに応じてマイコン３は、動作を開始し、上述したスイープ動作フラグＦ１がオンしているか否かを判定する（ステップＳ１）。スイープ動作フラグＦ１がオフであれば（ステップＳ１でＮ）、マイコン３は、直ちに文字板２１及び指針２２の照明を点灯した後（ステップＳ１２）、ステップＳ７に進む。
【００３７】
これに対して、スイープ動作フラグＦ１がオンであれば（ステップＳ１でＹ）、マイコン３は、次に、上述した個別設定フラグＦ２がオンしているか否かを判定する（ステップＳ２）。個別設定フラグＦ２がオフであれば（ステップＳ２でＮ）、マイコン３は、全ての指針２２の照明を点灯させた後（ステップＳ８）、全ての指針２２をフルスケール、スイープ動作させる（ステップＳ９）。その後、マイコン３は、スイープ動作が終了するのを待って（ステップＳ１０でＹ）、文字板２１の照明を点灯した後（ステップＳ１１）、ステップＳ７に進む。
【００３８】
一方、個別設定フラグＦ２がオンであれば（ステップＳ２でＹ）、マイコン３は、スイープ動作設定モードでスイープ動作を行わせると設定された指針２２である対象指針２２の照明を点灯させ、スイープ動作を行わせないと設定された指針２２（以下非対象指針２２）の照明は消灯させたままにする（ステップＳ３）。その後、マイコン３は、スイープ動作手段として働き、対象指針２２のスイープ動作を行い、非対象指針２２についてはスイープ動作を行わずに停止させたままにする（ステップＳ４）。
【００３９】
ステップＳ４においてマイコン３は、上記スイープ動作設定モードで設定された照明パターンで対象指針２２を点灯させると共に、スイープ動作設定モードで設定された回転速度、回転角度で対象指針２２を回転させる。間欠点灯する照明パターンＢ〜Ｄに選択されているとき、マイコン３は、指針２２の回転速度に関わらず同じ位置で指針２２の照明がオンオフするように、設定器７により設定された指針２２の回転速度に応じて間欠点灯のオンオフタイミングを調整する。
【００４０】
次に、マイコン３は、スイープ動作が終了するのを待って（ステップＳ５でＹ）、文字板２１の照明点灯を行うと共に非対象指針２２の照明を点灯する（ステップＳ６）。その後、マイコン３は、各指針２２にセンサからの計測値を指示するように駆動する通常動作を開始して（ステップＳ７）、処理を終了する。上記通常動作においてマイコン３は、図示しないセンサの計測値を指示するように各指針２２を駆動する。また、マイコン３は、通常動作中における指針２２の照明周波数とスイープ動作中における指針２２の照明周波数とを異ならせる。
【００４１】
上述したコンビネーションメータ１によれば、マイコン３が、複数の指針２２のうち設定器７によりスイープ動作を行わせると設定された指針２２のみにスイープ動作を行い、設定器７によりスイープ動作を行わせないと設定された指針２２についてはスイープ動作を行わずに停止させたままにする。従って、図１に示すように３つの指針２２の移動範囲が左右非対称であり、その回転方向が異なる場合、例えば複数の指針２２のうち中央の１つだけをスイープ動作させるなど、そのバリエーションに応じて個別にスイープ動作を行うか行わないか設定できるので、ドライバーに与える違和感を低減し、かつ、斬新な演出ができる。
【００４２】
また、上述したコンビネーションメータ１によれば、マイコン３が、スイープ動作を行わせると設定された指針２２について設定器７により設定された照明パターンで指針２２を照明し、スイープ動作を行わせないと設定された指針２２について照明を消灯させるので、複数の照明パターンＡ〜Ｄの中から好みのものを設定できる。
【００４３】
また、上述したコンビネーションメータ１によれば、ＥＥＰＲＯＭ４には、スイープ動作中に指針２２を常時点灯する照明パターンＡと、スイープ動作中に指針２２を間欠点灯する照明パターンＢ〜Ｄと、が記憶されているので、間欠点灯する照明パターンＢ〜Ｄを選択すると指針照明の残像を残すような斬新な演出が得られる。
【００４４】
また、上述したコンビネーションメータ１によれば、マイコン３が、間欠点灯する照明パターンＢ〜Ｄに選択されているとき、指針２２の回転速度に関わらず同じ位置で指針２２の照明がオンオフするように、設定された指針２２の回転速度に応じて間欠点灯のオンオフタイミングが調整する。これにより、指針２２の回転速度に関わらず同じ位置で指針２２の照明がオンオフするので、回転速度を設定器７の操作により設定できるようにしても、各照明パターンＢ〜Ｄの演出効果が変わることがない。
【００４５】
また、上述したコンビネーションメータ１によれば、設定器７を用いてスイープ動作における回転速度、回転角度を設定できるので、スイープ動作演出のバリエーションを増やすことができる。
【００４６】
なお、上述した実施形態では、スイープ動作の有無、照明パターン、回転速度、回転角度を個別に設定していたが、本発明はこれに限ったものではない。例えば、非対象指針２２についてイグニッションオンから指針２２が計測値を示すまでの起動待ち時間及びイグニッションオンから指針２２が照明されるまでの点灯開始時間を設定できるようにしてもよい。
【００４７】
この場合、スイープ動作設定モードにおいては、マイコン３は、設定器７を使って個別にスイープ動作を行う、行わないの設定が行われた後、表示器８に「起動待ち時間、点灯開始時間の設定を行いますか？」と表示する。この表示に応じて設定器７を用いて起動待ち時間を選択すると、マイコン３は、表示器８に起動待ち時間設定画面を表示する。この表示に応じて設定器７を用いて起動待ち時間の設定操作を行うと、非対象指針２２の起動待ち時間を設定操作された値にする。また、設定器７を用いて点灯開始時間を選択すると、マイコン３は、表示器８に点灯開始時間設定画面を表示する。この表示に応じて設定器７を用いて点灯開始時間の設定操作を行うと、非対象指針２２の点灯開始時間を設定操作された値にする。以上のことから明らかなように設定器７は請求項中の第４操作手段に相当する。
【００４８】
そして、マイコン３は通常時において、設定された点灯開始時間が経過したらスイープ動作を行っていない指針２２の照明を点灯し、起動待ち時間が経過したらスイープ動作を行っていない指針２２を起動して計測値の表示を行わせる。これにより、非対象指針２２について、対象指針２２のスイープ動作が終了するのを待つことなく起動させたり、対象指針２２のスイープ動作が終了するのを待って同時に起動させたり、また、複数の非対象指針２２を同時に点灯させたり、予め定めた順番で点灯させたりできり、スイープ動作演出にのバリエーションを増やすことができる。
【００４９】
また、上述した実施形態では、第１操作手段〜第４操作手段として設定器７を用いていたが、本発明はこれに限ったものではない。例えば、車内に設けられたオド・トリップスイッチを流用してもよいし、車内に設けられた設定用のスイッチを用いてもよい。
【００５０】
また、上述した実施形態では、所定のトリガをイグニッションオンにしていたが、本発明はこれに限ったものではない。例えば、ドアロックの解除など他のトリガでもよい。
【００５１】
また、上述した実施形態では、複数の指針２２の移動範囲が左右非対称で、かつ、複数の指針２２の回転方向も異なるコンビネーションメータ１を用いていたが、本発明はこれに限ったものではない。例えば、複数の指針２２の移動範囲が左右対称であっても、複数の指針２２の回転方向が異なるコンビネーションメータ１に適用してもよい。
【００５２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５３】
１  コンビネーションメータ
３  マイコン（スイープ動作手段）
４  ＥＥＰＲＯＭ（記憶手段）
７  設定器（第１操作手段、第２操作手段、第３操作手段、第４操作手段）
【図１】
0005752514.tif 000002
【図２】
0005752514.tif 000003
【図３】
0005752514.tif 000004
【図４】
0005752514.tif 000005
【図５】
0005752514.tif 000006
【図６】
0005752514.tif 000007
【図７】
0005752514.tif 000008